(57)【要約】【課題】庫内ファンの外径とベルマウスの内径とのクリアランスを小さくして、庫内ファンの送風効率を向上できるようにする。【解決手段】ベルマウス（31）は、庫内ファン（26）が収容されたベルマウス本体（32）と、ベルマウス本体（32）に一体形成された複数の支持部（33）と、複数の支持部（33）の先端部に一体形成された台座部（34）とを有する。複数の支持部（33）は、ベルマウス本体（32）の周方向に間隔をあけて配置され且つ空気吸い込み側に向かって延びて台座部（34）を支持している。台座部（34）は、庫内モータ（46）のモータ軸（46a）とベルマウス本体（32）の中心位置とが同軸となるように庫内モータ（46）に取り付けられる。【選択図】図４
2013053840.tif 000002
【特許請求の範囲】
【請求項１】
空気熱交換器（23，25）と、該空気熱交換器（23，25）を流れる空気を生成するファン（24，26）と、該ファン（24，26）を回転駆動するファンモータ（45，46）と、前記ファン（24，26）によって生成される空気を案内するベルマウス（61，31）とを備えたコンテナ用冷凍装置であって、
前記ベルマウス（61，31）は、
円筒状に形成されてその筒内部に前記ファン（24，26）が収容されたベルマウス本体（62，32）と、
前記ベルマウス本体（62，32）に一体形成され、該ベルマウス本体（62，32）の周方向に間隔をあけて配置され且つ空気吸い込み側に向かって延びる複数の支持部（63，33）と、
該複数の支持部（63，33）の先端部に一体形成され、前記ファンモータ（45，46）のモータ軸（45a，46a）と前記ベルマウス本体（62，32）の中心位置とが同軸となるように前記ファンモータ（45，46）に取り付けられる台座部（64，34）とを有する
ことを特徴とするコンテナ用冷凍装置。
【請求項２】
請求項１において、
前記台座部（64，34）には、前記ファンモータ（45，46）のモータ軸（45a，46a）が挿通されるとともに該モータ軸（45a，46a）の径方向外方に向かって切り欠かれた切欠孔（65a，35a）が形成されている
ことを特徴とするコンテナ用冷凍装置。
【請求項３】
請求項１または２において、
前記台座部（64，34）は、前記ファンモータ（45，46）を締結固定するための締結ボルト（55）を挿通させる挿通孔（65b，35b）が形成された取付面（65，35）と、該取付面（65，35）の外周縁に沿って前記ベルマウス本体（62，32）側に延びる側壁（66，36）とを有し、
前記ファンモータ（45，46）は、前記取付面（65，35）に載置されるとともに前記挿通孔（65b，35b）から挿通させた前記締結ボルト（55）によって該取付面（65，35）に締結固定され、
前記台座部（64，34）の側壁（66，36）には、前記締結ボルト（55）を前記側壁（66，36）側から視認可能な開口孔（36a）が形成されている
ことを特徴とするコンテナ用冷凍装置。
【請求項４】
請求項１乃至３のうち何れか１つにおいて、
前記台座部（64，34）は、樹脂材で構成され、
前記台座部（64，34）と前記ファンモータ（45，46）との間には、金属製の保護部材（40）が配設されている
ことを特徴とするコンテナ用冷凍装置。
【請求項５】
請求項１乃至４のうち何れか１つにおいて、
空気熱交換器（25）は、蒸発器（25）であり、
ファン（26）は、庫内ファン（26）であり、
ファンモータ（46）は、庫内モータ（46）である
ことを特徴とするコンテナ用冷凍装置。
【請求項６】
請求項１乃至５のうち何れか１つにおいて、
空気熱交換器（23）は、凝縮器（23）であり、
ファン（24）は、庫外ファン（24）であり、
ファンモータ（45）は、庫外モータ（45）である
ことを特徴とするコンテナ用冷凍装置。
【発明の詳細な説明】
【技術分野】
【０００１】
本発明は、コンテナ用冷凍装置に関するものである。
【背景技術】
【０００２】
従来より、海上輸送等に用いるコンテナ内を冷却するために、コンテナ用冷凍装置が用いられている（例えば、特許文献１参照）。
【０００３】
コンテナ用冷凍装置は、一端が開放されたコンテナの開口部に設けられており、コンテナの開口端部を閉塞するケーシングを有している。このケーシングの下部には、コンテナの庫外に臨む庫外収納空間が形成されている。庫外収納空間内には、圧縮機、凝縮器、庫外ファン、庫外モータ等が収容されている。
【０００４】
一方、ケーシングの上部には、コンテナの庫内に臨む庫内収納空間が形成されている。庫内収納空間は、コンテナの庫内空間に対して仕切板によって区画された空間である。仕切板は、ケーシングの庫内側の両側端部にそれぞれ設けられたサイドステーによって支持されている。また、庫内収納空間内には、庫内ファン、庫内モータ、蒸発器等が配設されていて、庫内空気の通風路が形成されている。
【０００５】
コンテナ用冷凍装置の運転時には、庫内ファンによってコンテナ庫内の空気が庫内収納空間内の通風路に導かれ、蒸発器を通過する際に冷却される。冷却後の空気は通風路を流出し、コンテナの庫内へ再び送られる。以上のように、コンテナ用冷凍装置では、庫内空気を通風路で冷却しながら循環させることで、コンテナ庫内の冷蔵や冷凍を行うようにしている。
【０００６】
ここで、庫内ファンは、空気吸い込み側に向かって内周縁の開口が広がるように湾曲したベルマウス内に収容されている。ベルマウスは、庫内ファンによって吸い込まれた空気を蒸発器側へスムーズに案内するためのものである。
【先行技術文献】
【特許文献】
【０００７】
【特許文献１】特開２００７−０９３１２２号公報
【発明の概要】
【発明が解決しようとする課題】
【０００８】
ところで、従来のコンテナ用冷凍装置では、蒸発器の上方に配設された支持板にベルマウスをリベット止め等によって固定する一方、支持板から立設させた支持脚によって庫内モータを支持している。そのため、庫内モータのモータ軸とベルマウスの中心位置とを同軸に合わせることが難しいという問題があった。そこで、従来のコンテナ用冷凍装置では、庫内ファンの外径とベルマウスの内径とのクリアランスを比較的大きく設定することで、庫内ファンとベルマウスとが干渉しないようにしていた。
【０００９】
しかしながら、一般に、庫内ファンの外径とベルマウスの内径とのクリアランスが小さいほど送風効率が向上することが知られているところ、各部材の取付誤差を考慮してそのクリアランスを大きくした構成では、庫内ファンの送風効率を向上させる上で不利であるという問題があった。
【００１０】
本発明は、かかる点に鑑みてなされたものであり、その目的は、コンテナ内を冷却するコンテナ用冷凍装置において、ファンの外径とベルマウスの内径とのクリアランスを小さくして、ファンの送風効率を向上できるようにすることにある。
【課題を解決するための手段】
【００１１】
本発明は、空気熱交換器（23，25）と、該空気熱交換器（23，25）を流れる空気を生成するファン（24，26）と、該ファン（24，26）を回転駆動するファンモータ（45，46）と、前記ファン（24，26）によって生成される空気を案内するベルマウス（61，31）とを備えたコンテナ用冷凍装置を対象とし、次のような解決手段を講じた。
【００１２】
すなわち、第１の発明は、前記ベルマウス（61，31）は、
円筒状に形成されてその筒内部に前記ファン（24，26）が収容されたベルマウス本体（62，32）と、
前記ベルマウス本体（62，32）に一体形成され、該ベルマウス本体（62，32）の周方向に間隔をあけて配置され且つ空気吸い込み側に向かって延びる複数の支持部（63，33）と、
該複数の支持部（63，33）の先端部に一体形成され、前記ファンモータ（45，46）のモータ軸（45a，46a）と前記ベルマウス本体（62，32）の中心位置とが同軸となるように前記ファンモータ（45，46）に取り付けられる台座部（64，34）とを有することを特徴とするものである。
【００１３】
第１の発明では、ベルマウス（61，31）は、円筒状に形成されてその筒内部にファン（24，26）が収容されたベルマウス本体（62，32）と、ベルマウス本体（62，32）に一体形成された複数の支持部（63，33）と、複数の支持部（63，33）の先端部に一体形成された台座部（64，34）とを有する。複数の支持部（63，33）は、ベルマウス本体（62，32）の周方向に間隔をあけて配置され且つ台座部（64，34）を支持している。台座部（64，34）は、ファンモータ（45，46）のモータ軸（45a，46a）とベルマウス本体（62，32）の中心位置とが同軸となるようにファンモータ（45，46）に取り付けられる。
【００１４】
このような構成とすれば、ファンモータ（45，46）のモータ軸（45a，46a）とベルマウス本体（62，32）の中心位置とが同軸となるように、ファンモータ（45，46）とベルマウス（61，31）とを一体に取り付けることができる。これにより、ファンモータ（45，46）の外径とベルマウス（61，31）の内径とのクリアランスを小さくして、ファンモータ（45，46）の送風効率を向上させて省エネを図ることができる。
【００１５】
また、既設のコンテナ用冷凍装置に対しても、ベルマウス本体（62，32）、支持部（63，33）、及び台座部（64，34）が一体形成されたベルマウス（61，31）に置き換えるだけで、ファンモータ（45，46）とベルマウス（61，31）とを一体に取り付けることができるから、ファンモータ（45，46）の送風効率を向上させて省エネを図ることができる。
【００１６】
第２の発明は、第１の発明において、
前記台座部（64，34）には、前記ファンモータ（45，46）のモータ軸（45a，46a）が挿通されるとともに該モータ軸（45a，46a）の径方向外方に向かって切り欠かれた切欠孔（65a，35a）が形成されていることを特徴とするものである。
【００１７】
第２の発明では、台座部（64，34）には、モータ軸（45a，46a）の径方向外方に向かって切り欠かれた切欠孔（65a，35a）が形成される。切欠孔（65a，35a）には、ファンモータ（45，46）のモータ軸（45a，46a）が挿通される。
【００１８】
このような構成とすれば、ファンモータ（45，46）をベルマウス（61，31）から取り外す際に、ファンモータ（45，46）を傾けながら取り外し作業を行っても、台座部（64，34）に切欠孔（65a，35a）が形成されていることによって、ファンモータ（45，46）のモータ軸（45a，46a）が台座部（64，34）に干渉することがなく、ファンモータ（45，46）の交換を容易に行うことができる。
【００１９】
第３の発明は、第１または第２の発明において、
前記台座部（64，34）は、前記ファンモータ（45，46）を締結固定するための締結ボルト（55）を挿通させる挿通孔（65b，35b）が形成された取付面（65，35）と、該取付面（65，35）の外周縁に沿って前記ベルマウス本体（62，32）側に延びる側壁（66，36）とを有し、
前記ファンモータ（45，46）は、前記取付面（65，35）に載置されるとともに前記挿通孔（65b，35b）から挿通させた前記締結ボルト（55）によって該取付面（65，35）に締結固定され、
前記台座部（64，34）の側壁（66，36）には、前記締結ボルト（55）を前記側壁（66，36）側から視認可能な開口孔（36a）が形成されていることを特徴とするものである。
【００２０】
第３の発明では、台座部（64，34）は、挿通孔（65b，35b）が形成された取付面（65，35）と、取付面（65，35）の外周縁に沿ってベルマウス本体（62，32）側に延びる側壁（66，36）とを有する。取付面（65，35）には、ファンモータ（45，46）が載置され、挿通孔（65b，35b）から挿通させた締結ボルト（55）によってファンモータ（45，46）が取付面（65，35）に締結固定される。また、台座部（64，34）の側壁（66，36）には、開口孔（36a）が形成されており、この開口孔（36a）から締結ボルト（55）を視認可能となっている。
【００２１】
このような構成とすれば、ファンモータ（45，46）をベルマウス（61，31）から取り外す際に、ファンモータ（45，46）と台座部（64，34）とを締結固定している締結ボルト（55）を開口孔（36a）から視認しながら取り外し作業を行うことができるため、作業性が向上する。
【００２２】
第４の発明は、第１乃至第３の発明のうち何れか１つにおいて、
前記台座部（64，34）は、樹脂材で構成され、
前記台座部（64，34）と前記ファンモータ（45，46）との間には、金属製の保護部材（40）が配設されていることを特徴とするものである。
【００２３】
第４の発明では、台座部（64，34）が樹脂材で構成されており、台座部（64，34）とファンモータ（45，46）との間に金属製の保護部材（40）が配設される。
【００２４】
このような構成とすれば、ファンモータ（45，46）をベルマウス（61，31）から取り外す際に、ファンモータ（45，46）が台座部（64，34）に接触することで台座部（64，34）の樹脂部分が削れて傷が付いてしまう等の不具合を、金属製の保護部材（40）によって防止することができる。
【００２５】
第５の発明は、第１乃至第４の発明のうち何れか１つにおいて、
空気熱交換器（25）は、蒸発器（25）であり、
ファン（26）は、庫内ファン（26）であり、
ファンモータ（46）は、庫内モータ（46）であることを特徴とするものである。
【００２６】
第５の発明では、庫内ファン（26）の送風効率が向上する。
【００２７】
第６の発明は、第１乃至第５の発明のうち何れか１つにおいて、
空気熱交換器（23）は、凝縮器（23）であり、
ファン（24）は、庫外ファン（24）であり、
ファンモータ（45）は、庫外モータ（45）であることを特徴とするものである。
【００２８】
第６の発明では、庫外ファン（24）の送風効率が向上する。
【発明の効果】
【００２９】
本発明によれば、ファンモータ（45，46）のモータ軸（45a，46a）とベルマウス本体（62，32）の中心位置とが同軸となるように、ファンモータ（45，46）とベルマウス（61，31）とを一体に取り付けることができる。これにより、ファンモータ（45，46）の外径とベルマウス（61，31）の内径とのクリアランスを小さくして、ファンモータ（45，46）の送風効率を向上させて省エネを図ることができる。
【００３０】
また、既設のコンテナ用冷凍装置に対しても、ベルマウス本体（62，32）、支持部（63，33）、及び台座部（64，34）が一体形成されたベルマウス（31）に置き換えるだけで、ファンモータ（45，46）とベルマウス（61，31）とを一体に取り付けることができるから、ファンモータ（45，46）の送風効率を向上させて省エネを図ることができる。
【図面の簡単な説明】
【００３１】
【図１】図１は、本発明の実施形態１に係るコンテナ用冷凍装置を庫外側から見た斜視図である。
【図２】図２は、コンテナ用冷凍装置の構成を示す側面断面図である。
【図３】図３は、ケーシングを庫内側から見たときの斜視図である。
【図４】図４は、送風ユニットの構成を分解して示す斜視図である。
【図５】図５は、送風ユニットの構成を示す側面図である。
【図６】図６は、庫内モータを取り外す途中の状態を示す斜視図である。
【図７】図７は、庫内モータを取り外す途中の状態を示す側面図である。
【図８】図８は、実施形態２の庫外ファン部分を示す概略構成図である。
【図９】図９は、実施形態２の庫外ファン部分を示す分解して示す斜視図である。
【発明を実施するための形態】
【００３２】
以下、本発明の実施形態を図面に基づいて説明する。なお、以下の好ましい実施形態の説明は、本質的に例示に過ぎず、本発明、その適用物或いはその用途を制限することを意図するものではない。
【００３３】
〈実施形態１〉
本実施形態のコンテナ用冷凍装置（10）は、海上輸送等に用いられるコンテナ（C）内の冷蔵又は冷凍を行うものである。コンテナ用冷凍装置（10）は、その側方の一端が開放された箱状のコンテナ（C）の開口端を塞ぐように配設される。また、コンテナ用冷凍装置（10）は、図示しない冷媒回路を備えている。すなわち、コンテナ用冷凍装置（10）は、冷媒回路の冷凍サイクルを利用してコンテナ（C）の庫内の空気を冷却するように構成されている。
【００３４】
図１及び図２に示すように、コンテナ用冷凍装置（10）は、有底筒状に形成されたコンテナ（C）の開口端面を塞ぐように周縁部がコンテナ（C）に取り付けられるケーシング（11）を備えている。このケーシング（11）の下部は、コンテナ（C）の庫内側に向かって膨出するように形成されていて、これにより、ケーシング（11）の下部の庫外には凹部（11a）が形成される。すなわち、ケーシング（11）の下部の庫外側には庫外収納空間（S1）が、ケーシング（11）の上部の庫内側には庫内収納空間（S2）が、それぞれ形成されている。
【００３５】
ケーシング（11）の庫内側には、仕切板（48）が配設されている。この仕切板（48）によって、コンテナ（C）の庫内と庫内収納空間（S2）とが区画されている。なお、仕切板（48）は、コンテナ（C）の内面に対し、その上下に隙間が設けられるように配設されている。
【００３６】
庫外収納空間（S1）内には、圧縮機（21）と、空気熱交換器である凝縮器（23）と、ファンである庫外ファン（24）と、ファンモータである庫外モータ（45）とが設けられている。圧縮機（21）及び凝縮器（23）は、図示しない冷媒回路に接続されている。庫外ファン（24）は、庫外モータ（45）によって回転し、凝縮器（23）に供給する空気を生成する。つまり、庫外ファン（24）は、庫外の空気を庫外収納空間（S1）内へ誘引して凝縮器（23）へ送るものである。凝縮器（23）では、この庫外空気と冷媒との間で熱交換が行われる。
【００３７】
庫内収納空間（S2）には、ケーシング（11）の庫内側の上部に空気熱交換器である蒸発器（25）及び送風ユニット（30）が設けられている。この蒸発器（25）も、凝縮器（23）と同様、図示しない冷媒回路に接続されている。
【００３８】
送風ユニット（30）のファンである庫内ファン（26）は、ファンモータである庫内モータ（46）によって回転駆動し、蒸発器（25）に供給する空気を生成する。つまり、庫内ファン（26）は、コンテナ（C）の庫内の空気を仕切板（48）の上側の隙間から誘引する。吸い込まれた空気は、ベルマウス（31）によって蒸発器（25）側へ案内される。そして、この蒸発器（25）において冷媒との間で熱交換が行われた庫内空気は、庫内ファン（26）によって、仕切板（48）の下側の隙間から庫内側へ戻される。なお、ベルマウス（31）の具体的な構成については後述する。
【００３９】
図３に示すように、ケーシング（11）の庫内側上部には、ケーシング（11）の幅方向に延びて蒸発器（25）を保持する蒸発器保持枠（15）が設けられている。蒸発器保持枠（15）の幅方向中央部分は、ケーシング（11）の庫内側の幅方向中央部に固定され且つ上下方向に伸びる枠支持部材（51）の上端部と接続されている。
【００４０】
また、蒸発器（25）の上方には、ケーシング（11）の幅方向に延びる支持板（53）が設けられている。送風ユニット（30）は、支持板（53）から上方に延びる一対の支持脚（54）に取り付けられている。一対の支持脚（54）は、送風ユニット（30）を挟んで幅方向に対向するように配置されている。
【００４１】
支持脚（54）は、図６にも示すように、ケーシング（11）の奥行方向に間隔をあけて配置され且つ支持板（53）から上方に延びる２本の脚部（54a）と、各脚部（54a）間を連結する連結部（54b）とを有している。脚部（54a）及び連結部（54b）は、１枚の板材を折り曲げ加工することにより一体に形成されている。連結部（54b）には、貫通孔（54c）が形成されている。貫通孔（54c）には、モータ支持ボルト（図示省略）が挿通されて庫内モータ（46）の後述するモータ支持部（46c）に締結させることで、モータ支持部（46c）と支持脚（54）とが締結固定される。これにより、送風ユニット（30）は、蒸発器（25）の上方で支持され、庫内ファン（26）により庫内空気が蒸発器（25）に対して上方から下方に向かって流れる。
【００４２】
サイドステー（50）は、ケーシング（11）の幅方向両端側に立設し、庫内側に膨出したケーシング（11）下部に接続されている。蒸発器保持枠（15）は、その幅方向両端部がサイドステー（50）で支持されるとともに、幅方向中央部が枠支持部材（51）で支持されている。なお、枠支持部材（51）は、断面略コの字状に形成された柱状部材であり、ケーシング（11）下部の庫内側の幅方向中央部分に上下方向に延びるように設けられている。この枠支持部材（51）は、幅方向に間隔をあけて複数配置され、庫内ケーシング（13）の膨出部分が補強されている。
【００４３】
ケーシング（11）には、図１に示すように、その上側寄りの位置に開口するメンテナンス孔（27）が幅方向に並んで２つ配置されている。メンテナンス孔（27）には、メンテナンス時に開閉可能な開閉扉（28）が取り付けられている。また、ケーシング（11）の庫外収納空間（S1）内には、庫外ファン（24）と隣接する位置に電装品ボックス（29）が配設されている。
【００４４】
ケーシング（11）は、図２に示すように、庫外側に位置する庫外ケーシング（12）と、庫内側に位置する庫内ケーシング（13）とを備えている。庫外ケーシング（12）及び庫内ケーシング（13）は、金属製のアルミニウム合金によって構成されている。
【００４５】
庫外ケーシング（12）は、コンテナ（C）の開口端面を塞ぐようにコンテナ（C）の開口部に取り付けられる。庫外ケーシング（12）は、下部が庫内側へ膨出するように形成されている。
【００４６】
庫内ケーシング（13）は、庫外ケーシング（12）に沿うように形成されていて、庫外ケーシング（12）に対応して庫内側へ膨出している。庫外ケーシング（12）と庫内ケーシング（13）との間の空間には、断熱材（14）が設けられている。
【００４７】
図４は、送風ユニットの構成を示す斜視図、図５は側面図である。図４及び図５に示すように、送風ユニット（30）は、庫内モータ（46）と、ベルマウス（31）と、保護部材（40）と、庫内ファン（26）とを備えている。
【００４８】
庫内モータ（46）は、庫内ファン（26）を回転駆動するものであり、庫内ファン（26）に接続されるモータ軸（46a）と、モータ本体（46b）と、モータ本体（46b）のモータ軸（46a）側の四隅に設けられて一対の支持脚（54）に取り付けられるモータ支持部（46c）とを有している。モータ支持部（46c）には、幅方向側面にそれぞれ締結孔が形成されており、一対の支持脚（54）をモータ支持部（46c）の側面に当接させてモータ支持ボルト（図示省略）で締結することにより、モータ支持部（46c）と支持脚（54）とが締結固定される。
【００４９】
ベルマウス（31）は、円筒状に形成されてその筒内部に庫内ファン（26）が収容されるベルマウス本体（32）と、ベルマウス本体（32）に一体形成された複数の支持部（33）と、複数の支持部（33）の先端部に一体形成された台座部（34）とを有している。ベルマウス本体（32）、支持部（33）、及び台座部（34）は、樹脂材によって一体成形されている。なお、アルミダイキャストによって一体成形してもよい。
【００５０】
ベルマウス本体（32）には、空気吸い込み側（図４では上側）に向かって内周縁の開口が広がるように湾曲した湾曲面（32a）が形成されている。これにより、庫内ファン（26）によって吸い込まれた空気が蒸発器（25）側にスムーズに送られる。
【００５１】
ベルマウス本体（32）の空気吹き出し側の端部は、空気吸い込み側の端部に比べてその外径が小さく形成されている。つまり、空気吸い込み側の端部が空気吹き出し側の端部に比べて径方向に相対的に突出してフランジ状となっている。支持板（53）には、ベルマウス本体（32）の空気吹き出し側の端部の外径よりも大きく且つ空気吸い込み側の端部の外径よりも小さな内径の孔（図示省略）が形成され、この孔にベルマウス本体（32）が嵌め込まれている。
【００５２】
複数の支持部（33）は、ベルマウス本体（32）の内周縁で周方向に間隔をあけて配置され、空気吸い込み側に向かって延びている。支持部（33）は板状体で形成され、空気の流通を妨げないように、その板厚面が通風路に向かうように配置されている。支持部（33）の先端部には、台座部（34）が一体に形成されている。支持部（33）におけるベルマウス本体（32）との継ぎ目部分、及び支持部（33）における台座部（34）との継ぎ目部分には、板厚方向に湾曲して肉厚となった湾曲部（33a）が形成され、応力が集中しないような形状となっている。
【００５３】
台座部（34）は、庫内モータ（46）に取り付ける取付面（35）と、取付面（35）の外周縁に沿ってベルマウス本体（32）側に延びる側壁（36）とを有している。台座部（34）の取付面（35）には、庫内モータ（46）のモータ本体（46b）におけるモータ軸（46a）側の面に形成された締結孔（図示省略）に対応する挿通孔（35b）と、庫内モータ（46）のモータ軸（46a）が挿通されるとともにモータ軸（46a）の径方向外方（図４では左斜め下方向）に向かって切り欠かれたＵ字状の切欠孔（35a）とが形成されている。
【００５４】
庫内モータ（46）は、台座部（34）の取付面（35）の上面側に取り付けられている。具体的に、取付面（35）の挿通孔（35b）には、取付面（35）の下面側から締結ボルト（55）が挿通され、庫内モータ（46）と台座部（34）との間に保護部材（40）を挟んだ状態で共締めすることで、庫内モータ（46）と台座部（34）とが一体に締結固定される。これにより、庫内モータ（46）のモータ軸（46a）とベルマウス本体（32）の中心位置とを容易に同軸にすることができる。
【００５５】
台座部（34）の側壁（36）には、締結ボルト（55）を側壁（36）側から視認可能な開口孔（36a）（図５参照）が形成されている。これにより、庫内モータ（46）をベルマウス（31）から取り外す際に、締結ボルト（55）を開口孔（36a）から視認しながら取り外し作業を行うことができるため、作業性が向上する。
【００５６】
保護部材（40）は、ベルマウス（31）の台座部（34）と庫内モータ（46）との間に挟持される保護板（41）と、保護板（41）の幅方向両端から上方に延びた後で折り曲げられて保護板（41）の幅方向両端縁に沿って延びる受け板（42）とを有している。保護部材（40）の保護板（41）及び受け板（42）は、１枚の金属製の板材（例えば、ステンレス板）を折り曲げ加工することで形成される。
【００５７】
保護板（41）は、庫内モータ（46）をベルマウス（31）の台座部（34）に取り付ける際に、庫内モータ（46）と台座部（34）との間に介在させるものであり、台座部（34）の切欠孔（35a）に対応した切欠孔（41a）と、台座部（34）の挿通孔（35b）に対応した挿通孔（41b）とが形成されている。保護板（41）は、庫内モータ（46）をベルマウス（31）から取り外す際に、庫内モータ（46）が台座部（34）に接触することで台座部（34）の樹脂部分が削れて傷が付いてしまう等の不具合を防止している。また、受け板（42）は、一対の支持脚（54）の連結部（54b）の上部に載置され、保護部材（40）が一対の支持脚（54）によって両端支持される。
【００５８】
庫内ファン（26）は、庫内モータ（46）のモータ軸（46a）が接続されるモータ軸孔（26b）が形成された本体部（26a）と、本体部（26a）の外周面から放射状に延びる複数枚の翼部（26c）とを有している。
【００５９】
−運転動作−
コンテナ用冷凍装置（10）は、圧縮機（21）、庫外ファン（24）、及び庫内ファン（26）を起動させることによって運転が開始される。コンテナ用冷凍装置（10）の冷媒回路では、圧縮機（21）の吐出冷媒が凝縮器（23）へ送られる。この凝縮器（23）では、内部を流通する冷媒が庫外ファン（24）によって送られる庫外空気と熱交換する。その結果、冷媒は庫外空気に放熱して凝縮する。
【００６０】
凝縮器（23）で凝縮した冷媒は、膨張弁で減圧された後、蒸発器（25）へ送られる。この蒸発器（25）では、内部を流通する冷媒が庫内ファン（26）によって送られる庫内空気と熱交換する。その結果、冷媒は庫内空気から吸熱して蒸発し、庫内空気が冷却される。なお、庫内空気は、図２に示すように、仕切板（48）の上側から庫外収納空間（S1）に流入して蒸発器（25）を通過する。そして、蒸発器（25）で冷却された後に仕切板（48）の下側から庫内へ戻っていく。蒸発器（25）で蒸発した冷媒は、圧縮機（21）に吸入されて再び圧縮される。
【００６１】
−庫内モータの交換手順−
次に、庫内モータ（46）を交換する手順について、図５〜図７を参照しながら説明する。まず、図５に示すように、庫内ファン（26）から庫内モータ（46）のモータ軸（46a）を取り外すとともに、ベルマウス（31）の台座部（34）の側壁（36）に形成された開口孔（36a）から締結ボルト（55）を視認しながら締結ボルト（55）を緩め、庫内モータ（46）を取り外し可能な状態とする。
【００６２】
そして、図６及び図７に示すように、庫内モータ（46）を庫外側に向かって傾ける。このとき、庫内モータ（46）のモータ軸（46a）は、台座部（34）の切欠孔（35a）及び保護部材（40）の切欠孔（41a）を通過するため、モータ軸（46a）が台座部（34）及び保護部材（40）に干渉することはない。
【００６３】
庫内モータ（46）を庫外側に傾けている途中では、庫内モータ（46）が保護部材（40）の保護板（41）の上面に当接する。そして、この当接部分を支点として庫内モータ（46）をさらに傾けていき、庫内モータ（46）を横向きとした後で、ケーシング（11）のメンテナンス孔（27）から庫内モータ（46）を取り出す。なお、庫内モータ（46）の取り付け手順については、上述した取り外し手順を逆に行えばよいため、説明を省略する。
【００６４】
−本実施形態の効果−
以上のように、本実施形態に係るコンテナ用冷凍装置（10）によれば、ベルマウス本体（32）、支持部（33）、及び台座部（34）が一体形成されたベルマウス（31）を用いて、庫内モータ（46）とベルマウス（31）とを一体に取り付けるようにしたから、庫内モータ（46）のモータ軸（46a）とベルマウス本体（32）の中心位置とを容易に同軸にすることができる。これにより、庫内ファン（26）の外径とベルマウス本体（32）の内径とのクリアランスを小さくして、庫内ファン（26）の送風効率を向上させて省エネを図ることができる。
【００６５】
また、既設のコンテナ用冷凍装置に対しても、本実施形態に係るベルマウス（31）に置き換えるだけで、庫内モータ（46）とベルマウス（31）とを一体に取り付けることができるから、庫内ファン（26）の送風効率を向上させて省エネを図ることができる。
【００６６】
また、庫内モータ（46）をベルマウス（31）から取り外す際に、庫内モータ（46）を傾けながら取り外し作業を行っても、台座部（34）に切欠孔（35a）が形成されていることによって、庫内モータ（46）のモータ軸（46a）が台座部（34）に干渉することがなく、庫内モータ（46）の交換を容易に行うことができる。
【００６７】
また、台座部（34）の側壁（36）に開口孔（36a）が形成されているから、庫内モータ（46）をベルマウス（31）から取り外す際に、庫内モータ（46）と台座部（34）とを締結固定している締結ボルト（55）を開口孔（36a）から視認しながら取り外し作業を行うことができるため、作業性が向上する。
【００６８】
さらに、台座部（34）と庫内モータ（46）との間に金属製の保護部材（40）が配設されているから、庫内モータ（46）をベルマウス（31）から取り外す際に、庫内モータ（46）が台座部（34）に接触することで台座部（34）の樹脂部分が削れて傷が付いてしまう等の不具合を、金属製の保護部材（40）によって防止することができる。
【００６９】
〈実施形態２〉
本実施形態は、図８および図９に示すように、ファンである庫外ファン（24）について、実施形態１のベルマウス（31）と同様のベルマウス（61）を適用したものである。
【００７０】
前記庫外ファン（24）は、庫内ファン（26）と同様に構成され、庫外モータ（45）のモータ軸（45a）が接続される本体部（24a）と、複数枚の翼部（24c）とを有している。
【００７１】
前記庫外モータ（45）は、庫内モータ（46）と同様に構成され、庫外ファン（24）を回転駆動するものであり、モータ軸（45a）とモータ本体（45b）とを有し、モータ取付台（45c）に固定ボルト（45d）によって取り付けられている。
【００７２】
前記ベルマウス（61）は、庫外ケーシング（12）に固定されている。そして、前記ベルマウス（61）は、円筒状に形成されてその筒内部に庫外ファン（24）が収容されるベルマウス本体（62）と、ベルマウス本体（62）に一体形成された複数の支持部（63）と、複数の支持部（63）の先端部に一体形成された台座部（34）とを有している。
【００７３】
ベルマウス本体（62）には、空気吹出側（図８の左側）に向かって内周縁の開口が広がるように湾曲した湾曲面（62a）が形成されている。
【００７４】
複数の支持部（63）は、実施形態１の支持部（33）と同様に構成され、ベルマウス本体（62）の内周縁で周方向に間隔をあけて配置され、支持部（63）の先端部が台座部（64）に一体に形成されている。
【００７５】
台座部（64）は、実施形態１の台座部（34）と同様に構成され、庫外モータ（45）の取付面（65）と、側壁（66）とを有している。取付面（35）には、庫内モータ（45）の締結孔（図示省略）に対応する挿通孔（65b）と、庫内モータ（46）のモータ軸（46a）が挿通される切欠孔（65a）とが形成されている。
【００７６】
庫外モータ（45）は、台座部（64）の取付面（65）に締結ボルト（55）によって取り付けられている。これにより、庫外モータ（45）のモータ軸（45a）とベルマウス本体（62）の中心位置とを容易に同軸にすることができる。
【００７７】
なお、台座部（64）の側壁（66）には、図示しないが、実施形態１の台座部（34）と同様に、締結ボルト（55）を側壁（66）側から視認可能な開口孔が形成されている。
【００７８】
また、前記ベルマウス（61）の台座部（64）と庫外モータ（45）との間には、図示しないが、実施形態１と同様に、保護板と受け板とが設けられている。その他の構成、作用および効果は実施形態１と同様である。
【産業上の利用可能性】
【００７９】
以上説明したように、本発明は、コンテナ内を冷却するコンテナ用冷凍装置において、ファンの外径とベルマウスの内径とのクリアランスを小さくして、ファンの送風効率を向上できるという実用性の高い効果が得られることから、きわめて有用で産業上の利用可能性は高い。
【符号の説明】
【００８０】
10        コンテナ用冷凍装置
23        凝縮器
25        蒸発器
24        庫外ファン
26        庫内ファン
31，61    ベルマウス
32，62    ベルマウス本体
33，63    支持部
34，64    台座部
35，65    取付面
35a，65a  切欠孔
35b，65b  挿通孔
36，66    側壁
36a，     開口孔
40        保護部材
45        庫外モータ
46        庫内モータ
46a，45a  モータ軸
55        締結ボルト
【図１】
2013053840.tif 000003
【図２】
2013053840.tif 000004
【図３】
2013053840.tif 000005
【図４】
2013053840.tif 000006
【図５】
2013053840.tif 000007
【図６】
2013053840.tif 000008
【図７】
2013053840.tif 000009
【図８】
2013053840.tif 000010
【図９】
2013053840.tif 000011